(57)【要約】【課題】  比較的遠く離れた個所の枝切り等に使用できるロングアーム式園芸工具に関する。【解決手段】  作業者の手によって握り絞めが可能な形状に構成された押圧部１１を有する連動グリップ部１０と、内部中空の延伸管２０と該延伸管２０を貫通する連動体３０と、前記延伸管２０の前端部側に配設される本体ベース４０と、前記連動体３０の前端部が連結される締結ヘッド４１と、該締結ヘッド４１の前端部に回動可能に枢支される２枚の連結板４２と、該２枚の連結板４２と前記締結ヘッド４１間にそれぞれ固着配設される弾性体４３と、後端部近傍を交差状態に重ね合わせ、かつ移動可能に配設した第１工具部４５と第２工具部４６とを前記本体ベース４０の前端部に取り付けるための中心支承軸４４と、前記本体ベース４０の収納空間４０４を覆うカバー５０とを含んでなる。【選択図】図２
2006055096.tif 000002
【特許請求の範囲】
【請求項１】
使用者の手によって握り絞めが可能な形状に構成された連動グリップ部と、
内部中空の長尺状の延伸管と該延伸管を貫通するように配設された連動体と、
前記連動体の後端部と接続して前記連動体を前後方向に移動する前記連動グリップ部に可動可能に配設された押圧部と、
後端部に前記延伸管の前端部側に嵌合する中心に開孔を有する挿入部を備え、かつ前端部に補強板を配設した収納空間を形成した本体ベースと、
前記本体ベースの収納空間に配置され、前端部の直径が大きくかつ後端部は小径に形成されると共に、大径の前端縁には軸方向に沿って切り欠いた軸支溝とネジ挿通用の螺着孔とを有し、小径後端部には軸方向に沿ってネジ孔を形成して脱落防止ナットを設け、前記連動体の前端部が連結される締結ヘッドと、
該締結ヘッドの軸支溝に回動可能に枢支される２枚の連結板と、
該２枚の連結板と前記締結ヘッド間にそれぞれ固着配設される弾性体と、
後端部近傍を交差状態に重ね合わせ、かつ可動可能に配設した第１工具部と第２工具部と、
前記第１及び第２工具部を前記本体ベースの前端部に取り付けるための外周面の中央の位置に多角形の位置制限部を有し、該位置制限部から一方に延伸する回動制限部と、他方に延伸する中心螺合部を有する中心支承軸と、
前記本体ベースの収納空間を覆うカバーと、
からなることを特徴とするロングアーム式園芸用工具。
【請求項２】
前記本体ベースの収納空間底面に補強板を設けないことを特徴とする請求項１に記載のロングアーム式園芸用工具。
【発明の詳細な説明】
【技術分野】
【０００１】
この発明は、園芸用の工具に関し、特に後端に長いアームを具え、比較的遠く離れた個所の枝切り等に使用できるロングアーム式園芸工具に関する。
【背景技術】
【０００２】
従来の園芸用の工具である枝切り鋏は、握り部との間の長さが短いため、高く離れた場所の木の枝や葉を切断ことができない。このため、脚立などを利用して高い場所に上って作業を行わなければならず、かかる方式は面倒である。  
また、地面に落ちた枝、葉を拾う場合、腰を屈めなければならない。よって、作業者の疲労を増加させることになる。
【発明の開示】
【発明が解決しようとする課題】
【０００３】
この発明は、高く又は遠く離れた場所の枝、葉を剪定することができ、また地面に落ちた枝、葉などを、腰を屈めることなく工具の先端部で拾うことができ、園芸作業における作業効率を高めるロングアーム式園芸用工具を提供することを課題とする。
【課題を解決するための手段】
【０００４】
以下、この発明について具体的に説明する。
請求項１に記載するロングアーム式園芸用工具は、使用者の手によって握り絞めが可能な形状に構成された連動グリップ部１０と、内部中空の長尺状の延伸管２０と該延伸管２０を貫通するように配設された連動体３０と、前記連動体３０の後端部と接続して前記連動体３０を前後方向に移動する前記連動グリップ部１０に可動可能に配設された押圧部１１と、後端部に前記延伸管２０の前端部側に嵌合する中心に開孔を有する挿入部を備え、かつ前端部に補強板４０５を配設した収納空間４０４を形成した本体ベース４０と、前記本体ベース４０の収納空間４０４に配置され、前端部の直径が大きくかつ後端部は小径に形成されると共に、大径の前端縁には軸方向に沿って切り欠いた軸支溝とネジ挿通用の螺着孔とを有し、小径後端部には軸方向に沿ってネジ孔を形成して脱落防止ナットを設け、前記連動体３０の前端部が連結される締結ヘッド４１と、該締結ヘッド４１の軸支溝４１１に回動可能に枢支される２枚の連結板４２と、該２枚の連結板４２と前記締結ヘッド４１間にそれぞれ固着配設される弾性体４３と、後端部近傍を交差状態に重ね合わせ、かつ可動可能に配設した第１工具部４５と第２工具部４６と、前記第１及び第２工具部を前記本体ベース４０の前端部に取り付けるための外周面の中央の位置に多角形の位置制限部を有し、該位置制限部から一方に延伸する回動制限部と、他方に延伸する中心螺合部を有する中心支承軸４４と、前記本体ベース４０の収納空間４０４を覆うカバー５０とからなることを特徴とする。
【０００５】
請求項２に記載するロングアーム式園芸用工具は、請求項１における本体ベースの収納空間底面に補強板を設けない構成としたものである。
【発明の効果】
【０００６】
本発明のロングアーム式園芸用工具は、離れた場所の枝、葉を切ることができ、また地面に落ちた枝、葉などを、腰を屈めることなく拾うことができるため、園芸作業が容易になり、その作業の効率を高める利点がある。
【発明を実施するための最良の形態】
【０００７】
この発明によるロングアーム式園芸用工具について、その構造と特徴を詳述するために具体的な実施例を挙げ、以下に説明する。
【実施例１】
【０００８】
図１は、この発明によるロングアーム式園芸用工具の要部の分解斜視図であって、図２には組み立て途中の状態を示す分解斜視図が開示されている。
図１，図２によれば、本発明によるロングアーム式園芸用工具は、使用者の手によって握り絞めが可能な形状に構成された連動グリップ部１０と、内部中空の長尺状の延伸管２０と該延伸管２０を貫通するように配設された連動体３０と、前記連動体３０の後端部と接続して前記連動体３０を前後方向に移動する前記連動グリップ部１０に可動可能に配設された押圧部１１と、後端部に前記延伸管２０の前端部側に嵌合する中心に開孔を有する挿入部を備え、かつ前端部に補強板４０５を配設した収納空間４０４を形成した本体ベース４０と、前記本体ベース４０の収納空間４０４に配置され、前端部の直径が大きくかつ後端部は小径に形成されると共に、大径の前端縁には軸方向に沿って切り欠いた軸支溝とネジ挿通用の螺着孔とを有し、小径後端部には軸方向に沿ってネジ孔を形成して脱落防止ナットを設け、前記連動体３０の前端部が連結される締結ヘッド４１と、該締結ヘッド４１の軸支溝４１１に回動可能に枢支される２枚の連結板４２と、該２枚の連結板４２と前記締結ヘッド４１間にそれぞれ固着配設される弾性体４３と、後端部近傍を交差状態に重ね合わせ、かつ可動可能に配設した第１工具部４５と第２工具部４６と、前記第１及び第２工具部を前記本体ベース４０の前端部に取り付けるための外周面の中央の位置に多角形の位置制限部を有し、該位置制限部から一方に延伸する回動制限部と、他方に延伸する中心螺合部を有する中心支承軸４４と、前記本体ベース４０の収納空間４０４を覆うカバー５０と、からなる。
【０００９】
前記連動グリップ部１０は前端部が延伸管２０に連結され、可動な握り絞め部となる押圧部１１の先端が、前記延伸管２０内に貫通する連動体３０の後端部と接続している。
【００１０】
前記延伸管２０は後端が連動グリップ部１０の前端部に連結固定されると共に、前端近傍には軸方向に対して直交する貫通孔２１が穿設され、後述の本体ベース４０の挿入部４０１が前記延伸管２０に挿入連結された状態でネジ２２を該貫通孔２１と挿入部４０１のネジ孔４０２に挿通させて互いに連結固定するようになっている。
【００１１】
また、前記連動体３０は後端が前記連動グリップ部１０に固定され、前端は延伸管２０内を貫通して、該延伸管２０より突出しており、前端の外周面には雄ネジ部３１が形成されている。
【００１２】
前記本体ベース４０は、後端部に前記延伸管２０に挿入連結される挿入部４０１が形成され、該挿入部４０１は軸方向に沿って前記延伸管２０と軸芯を一致させた中心を貫通するガイド孔４０３を有し、外周部には軸方向と直交するネジ孔４０２が形成されている。
【００１３】
前記本体ベース４０の前端部には比較的広い収納空間４０４が形成されており、該収納空間４０４底部には補強板４０５が埋設してあり、該補強板４０５の前端部には前記中心支承軸４４を軸支する軸支孔４０６を形成されており、後端部にはボルト４０８を挿通して後述のカバー５０を取り付けるための２つの貫通孔４０７が形成されている。
【００１４】
前記本体ベース４０の前端部の収納空間４０４に配設される前記締結ヘッド４１は、全体がほぼ円柱状に形成された前端部の直径が大きく、前端縁には軸方向に沿って切り欠いた軸支溝４１１を有し、かつ側面には軸方向と直交する螺着孔４１２が形成されて前記軸支溝４１１内に位置させた２枚の連結板４２の後端部をネジ４１３によって枢支するようになっている。    
【００１５】
また、前記締結ヘッド４１の後端部は小径とした円筒突起状でかつ内面に雌ネジ孔４１５を有する連結部４１４が形成され、脱落防止ナット４１６が配設されており、前記延伸管２０より突出した連動体３０の前端の雄ネジ部３１が螺合されるようになっている。
【００１６】
前記２枚の連結板４２は、細長い扁平プレート状を呈し、両端縁部にそれぞれ貫通孔４２１が穿設されている。巻きバネからなる弾性体４３は、両遊端縁部に螺着部４３１を有し、一方の螺着部４３１は、前記第１工具部４５の後端部と一方の連結板４２と共にネジ４３２によって固定されると共に、他方の螺着部４３１は、前記第２工具部４６の後端部と他方の連結板４２と共にネジ４３２によって固定され、基部は前記締結ヘッド４１にネジ４１３によって固定されるようになっている。
【００１７】
前記中心支承軸４４は、中央外周位置に多角形状の位置制限部４４１を形成し、該位置制限部４４１から一方に延伸した回動制限部４４２を形成し、かつ他方に延伸して中心螺合部４４３を形成してなり、該回動制限部４４２及び中心螺合部４４３の外周面には雄ネジ部が形成されており、前記補強板４０５の軸支孔４０６及び第１，第２工具部４５，４６の貫通孔４５２，４６２にそれぞれにナット４４４を介して螺合結合されるようになっている。
【００１８】
前記第１工具部４５の中央部から前端縁に至る部分を工具部（受け部）４５１とする。該工具部４５１はこの実施例では鋏の形態とするが、物体を掴む掴み部の形態とするか、もしくはその他形態とすることも可能である。
前記工具部４５１の中央よりやや後方には中心軸孔４５２を穿設し、後端縁部にはやや下方に偏って形成した連動部４５３を形成してあり、該連動部４５３には突起状の位置制限部４５４を設けている。
【００１９】
前記第２工具部４６の中央部から前端縁に至る部分を、第１工具部４５の工具部（受け部）４５１に対応する工具部（刃部）４６１とし、中央よりやや後方に中心軸孔４６２を穿設し、後端縁部には一方に上方に偏って形成した連動部４６３を形成しており、該連動部４６３の後端縁部には貫通孔４６４を穿設している。
【００２０】
なお、実施例では第１，第２工具４５，４６を挟み形状にしたものについて説明したが、物体を掴む掴み部の形態とするか、もしくはその他の形態とすることも可能である。
【００２１】
前記カバー５０は、本体ベース４０の収納空間に対応する形状を呈し、本体ベース４０の貫通孔４０７を介して挿通されるボルト４０８によって本体ベース４０に固定されるようになっている。
【００２２】
以上の構成における本発明のロングアーム式園芸用工具について、以下図２を参照して部材の組み立て方法を説明する。
【００２３】
先ず、第１工具部４５の中心軸孔４５２を第２工具部４６中心軸孔４６２に合わせて中心支受承軸４４の一端の回動制限部４４２を挿通させてナット４４４を螺着する。この場合、第１工具部４５と第２工具部とは、交差した状態になり回動自在に連結する。
【００２４】
次いで、２枚の連結板４６のそれぞれの一端の貫通孔４２１と、弾性体４３の両遊端部の螺着部４３１とを、ネジ４３２とナット４３３とによって、それぞれ第１工具部４５の貫通孔４５５と、第２工具部４６の貫通孔４６４とに連結する。よって、交錯状を呈する第１工具部４５と第２工具部４６の前端部は、互いに所定の角度に開いた状態になる。
前記２枚の連結板４２の他端はそれぞれの貫通孔４２１が合わさるように重ねあわせて、連結ヘッド４１の軸支溝４１１内に収納し、ネジ４１３を螺着孔４１２と、弾性体４３の基部の孔部と、連結板４２の貫通孔４２１とに挿通させて、回動自在に連結する。
【００２５】
上述した構造を、本体ベース４０の収納空間４０４内に収納する。この場合、中心支承軸４４の一端の中心螺合部４４３が本体ベース４０の軸支孔４０６を通過してナット４４４に螺着する。また、締結ヘッド４１の連結部４１４は、本体ベース４０のガイド溝４０３内の前方に位置する（図３の組み立て途中の状態を示した説明図と、図４の局部断面図参照）。
【００２６】
以上の組み立てを完成させた後、脱落防止ナット４１６を連動体３０の雄ネジ部３１に螺着させ、本体ベース４０の挿入部４０１を延伸管３０の前端縁部に挿入し、該雄ねじ部３１を締結ヘッド４１のネジ孔４１５に固定し、最後にネジ２２を貫通孔２１とネジ孔４０２に挿通させて固定する。
【００２７】
以上の構成によるロングアーム式園芸用工具を使用する場合は、図４，５の動作説明図に開示するように、連動グリップ部１０の押圧部１１を開放した状態において、第１工具部４５と第２工具部４６が、中心支承軸４４を円の中心として、弾性体４３の付勢力によって所定の角度だけ開いた状態となる。
【００２８】
使用時において、連動グリップ部１０の押圧部１１を押圧すると、連動体３０と締結ヘッド４１が後方に引っ張られ、２枚の連動板４２も後方に引っ張られて鋭角を呈し、両工具部４５１，４６１が合わさって鋏としての機能を発揮する。
【００２９】
なお、図６，図７に示すものは、前記実施例において、２枚の連動板４２に後端が連結されて後方に引っ張られて鋭角になることで、工具部（受け部）４５１と工具部（刃部）４６１とが合わさり物を掴む動作を行うのに適するように、第１工具部４５と第２工具部４６の工具部４５１と工具部４６１を両方ともに掴み部にした変形例を示すもので、その他の構成は前述の実施例と同様のものである。
【００３０】
また、前記第１工具部４５と第２工具部４６の形状はその他適宜な形態にすることができることは勿論である。
【００３１】
上述する締結ヘッド４１は、外周面に段差を形成して前端の直径が大きく、後端の直径を小さするため、締結ヘッド４１が連動体３０に引っ張られる場合、他端の直径が小さい円筒突起状でかつ内面に雌ネジ孔４１５を有する連結部４１４が本体ベース４０のガイド孔４０３に移動する。よって、前方に連動させる動作においては、連動体３０と同一の中心に在って一方に偏る恐れがない。
【００３２】
以上はこの発明の好ましい実施例であって、この発明の実施の範囲を限定するものではない。よって、当業者のなし得る修正や変更、或いは、この発明の精神の下においてなされ、この発明に対して均等の効果を有するものは、いずれも本発明の特許請求の範囲に属するものとする。
【図面の簡単な説明】
【００３３】
【図１】この発明によるロングアーム式園芸用工具の一実施例を示す分解斜視図である。
【図２】図１に開示するロングアーム式園芸用工具の一部組み立て状態を示す分解斜視図である。
【図３】図１に開示するロングアーム式園芸用工具を組立てた状態を示した一部切欠き斜視図である。
【図４】図１に開示するロングアーム式園芸用工具の一部断面図である。
【図５】図１に開示するロングアーム式園芸用工具の動作を示した説明図である。
【図６】この発明によるロングアーム式園芸用工具における工具部の変形例を示す説明図である。
【図７】この発明によるロングアーム式園芸用工具における工具部の変形例を示した説明図である。
【符号の説明】
【００３４】
１０        連動グリップ部
１１        押圧部
２０        延伸管
２１        開通孔
２２        ネジ
３０        連動体
３１        ネジ部
４０        本体ベース
４０１      挿入部
４０２      ネジ孔
４０３      ガイド孔
４０４      収納空間
４０５      補強板
４０６      軸支孔
４０７      貫通孔
４０８      ボルト
４１        締結ヘッド
４１１      軸支溝
４１２      螺着孔
４１３      ネジ
４１４      連結部
４１５      ネジ孔
４１６      脱落防止ナット
４２        連動板
４２１      貫通孔
４３        弾性体
４３１      螺着部
４３２      ネジ
４３３      ナット
４４        中心支承軸
４４１      位置制限部
４４２      回動制限部
４４３      中心螺合部
４４４      ナット
４５        第１工具部
４５１      工具部
４５２      中心軸孔
４５３      連動部
４５４      位置制限部
４５５      貫通孔
４６        第２工具部
４６１      工具部
４６２      中心軸孔
４６３      連動部
４６４      貫通孔
５０        カバー
【図１】
2006055096.tif 000003
【図２】
2006055096.tif 000004
【図３】
2006055096.tif 000005
【図４】
2006055096.tif 000006
【図５】
2006055096.tif 000007
【図６】
2006055096.tif 000008
【図７】
2006055096.tif 000009